(57)【要約】【課題】肌や唇に直接当てて化粧料を塗布しても化粧料がずれたり脱落したりせず、その伸び具合や感触を試すことができ、しかも軽量で嵩張らない化粧料簡易容器を提供する。【解決手段】台面部１２と蓋面部１３とが折り目Ｓを介して連結された化粧料サンプル１１である。上記台面部１２の、上記折り目Ｓと反対側の縁部に、化粧料保持部１９を有する小片部１５が複数個、切り目Ｐを介して切り離し自在に連結されており、上記蓋面部１３は、下向きに突出する複数個の凹面部２１を備え、折り目Ｓを中心として上記蓋面部１３を折り返すことにより、上記蓋面部１３が台面部１２の上面を覆い、上記蓋面部１３の各凹面部２１が、上記各小片部１５の化粧料保持部１９に対峙するようになっている。【選択図】図１
2018164507.tif 000002
【特許請求の範囲】
【請求項１】
凹凸形状が付与された一枚のシート体からなり、台面部と、この台面部の片端縁に折り目Ｓを介して連結される蓋面部とを備えた化粧料簡易容器であって、
上記台面部の、上記折り目Ｓと反対側の縁部に、略帯状の小片部が複数個、互いの長手方向に沿う側縁が隣り合う配置で、切り目Ｐを介して個別に切り離し自在に連結されており、
上記各小片部は、平面部と、型成形によって平面部から下向きに突出した有底筒状部とを備え、上記有底筒状部の底面部には下側からみて凹状の化粧料保持部が設けられており、切り目Ｐを中心として上記各小片部を折り返して台面部の上面に重ねることにより、各小片部の化粧料保持部が上向きに配置されるようになっており、
上記蓋面部は、平面部と、型成形によって平面部から下向きに突出する複数個の凹面部とを備え、折り目Ｓを中心として上記蓋面部を折り返すことにより、上記蓋面部が台面部の上面を覆い、上記蓋面部の各凹面部が、切り目Ｐを中心として折り返された各小片部の化粧料保持部に対峙するようになっていることを特徴とする化粧料簡易容器。
【請求項２】
凹凸形状が付与された一枚のシート体からなり、台面部と、この台面部の片端縁に折り目Ｓ’を介して連結される蓋面部とを備えた化粧料簡易容器であって、
上記台面部は、その少なくとも一部が、互いの長手方向に沿う側縁が隣り合う配置で並ぶ複数個の、切り目Ｐ'によって個別に切り離し自在に連結された略帯状の小片部によって構成されており、
上記各小片部は、平面部と、型成形によって平面部から上向きに突出した有天筒状部とを備え、上記有天筒状部の天面部には凹状の化粧料保持部が設けられており、
上記蓋面部は、平面部と、型成形によって平面部から下向きに突出する複数個の凹面部とを備え、折り目Ｓ’を中心として上記蓋面部を折り返すことにより、上記蓋面部が台面部の上面を覆い、上記蓋面部の各凹面部が、上記台面部の少なくとも一部を構成する各小片部の化粧料保持部に対峙するようになっていることを特徴とする化粧料簡易容器。
【請求項３】
凹凸形状が付与された一枚のシート体からなり、台面部と、この台面部の片端縁に、互いの長手方向に沿う側縁が隣り合う配置で並ぶ複数個の、切り目Ｐ”を介して個別に切り離し自在に連結される略帯状の小片部とを備えた化粧料簡易容器であって、
上記台面部は、平面部と、型成形によって平面部から下向きに突出する複数個の凹面部とを備え、
上記各小片部は、平面部と、型成形によって平面部から上向きに突出した有天筒状部とを備え、上記有天筒状部の天面部には凹状の化粧料保持部が設けられており、切り目Ｐ”を中心として上記小片部を折り返して台面部の上面に重ねることにより、上記各小片部の化粧料保持部が、上記台面部の各凹面部に対峙するようになっていることを特徴とする化粧料簡易容器。
【請求項４】
上記小片部において、上記有底筒状部が小片部の長手方向の一端部に偏って設けられており、上記小片部の平面部に、上記有底筒状部を挟むＶ字状の折り目Ｑと、このＶ字状の折り目Ｑの頂部から小片部の長手方向の他端部に向かって延びる直線状の折り目Ｒとが設けられ、これらの折り目Ｑ、Ｒを山折りすることにより、上記折り目Ｑに挟まれた部分が、平面部の折り目Ｒに対し傾斜するようになっている請求項１記載の化粧料簡易容器。
【請求項５】
上記小片部において、上記有天筒状部が小片部の長手方向の一端部に偏って設けられており、上記小片部の平面部に、上記有天筒状部を挟むＶ字状の折り目Ｑと、このＶ字状の折り目Ｑの頂部から小片部の長手方向の他端部に向かって延びる直線状の折り目Ｒとが設けられ、これらの折り目Ｑ、Ｒを山折りすることにより、上記折り目Ｑに挟まれた部分が、平面部の折り目Ｒに対し傾斜するようになっている請求項２または３記載の化粧料簡易容器。
【請求項６】
上記折り目Ｒによって二つ折りされる平面部の折り返し面のそれぞれに、各折り返し面に一部がつながった状態で小係合片が切り出されており、折り目Ｒによって平面部を二つ折りした状態で、上記二つの小係合片が互いに係合して、その二つ折り状態が保持されるようになっている請求項４または５記載の化粧料簡易容器。
【発明の詳細な説明】
【技術分野】
【０００１】
本発明は、新製品の化粧料を少量ずつ組み合わせてサンプルとして配布したり、お試し用やトラベル用の化粧製品としたりするのに適した、化粧料簡易容器に関するものである。
【背景技術】
【０００２】
従来、化粧品会社では、新製品の広告や何らかのキャンペーンを行う場合、新製品やキャンペーンにかかる商品の中身を少量だけ包装した化粧料サンプルを、店頭や街頭で無料配布したり、ダイレクトメールで送付したりすることが多い。
【０００３】
このような化粧料サンプルのうち、口紅やアイシャドウといった油性化粧料のサンプルとして、例えば、台紙上に少量の化粧料を層状に付着させ、その表面を透明シートで被覆したカードタイプのものが多く出回っている（特許文献１、２を参照）。これらのサンプルでは、透明シートを剥がして化粧料層を露出させ、その部分の化粧料を指先や化粧筆に付着させて化粧するようになっている。
【０００４】
しかしながら、化粧料、とりわけ口紅は、実際には、スティックタイプの商品が多いため、スティック状に成形された化粧料を直接唇に塗布して使用することが多い。これに対し、上記カードタイプの化粧料サンプルでは、実際に唇にスティックタイプの化粧料を塗布する場合の伸びやすさや肌触りの感触を実感することができず、試供品として充分に満足できるものとはいえない。
【０００５】
そこで、本出願人は、図１３（ａ）に示すような外観の、スティックタイプの口紅化粧料を模した使い捨ての化粧料サンプルを開発し、すでに出願している（特許文献３を参照）。このものは、図１３（ａ）のＸ−Ｘ′断面図である図１３（ｂ）に示すように、スティックタイプの口紅化粧料の容器形状を模した中空の射出成形品からなる樹脂ケース１の傾斜した天面部２に、油性化粧料３を充填保持したものである。この化粧料サンプルでは、上記油性化粧料３を保持する天面部２の形状を工夫することにより、少量の化粧料であっても、これを直接肌に当てたときに化粧料がずれたり脱落したりすることがなく、化粧料の伸び具合や感触を実感できるという利点を有している。
【０００６】
ただし、上記のものは、スティックタイプの口紅化粧料の容器を模した樹脂ケース１が厚みのある射出成形品であるため、全体が嵩高く、比較的重たいものとなり、材料コスト、製造コストが比較的高くなる。また、色の異なる複数のサンプルを一組としてダイレクトメールする場合や、携帯して持ち歩く場合、その嵩高さや重量による負担感が大きい。このため、さらなる軽量化、コンパクト化が求められている。
【０００７】
一方、ごく少量の化粧料を複数保持した化粧料塗布具であって、チップによる実際の使用感を実感でき、しかも塗布具全体がごく薄くて軽量化されたものが提案されている（特許文献４を参照）。このものは、図１４（ａ）に示すように、コンパクトタイプの本体４に、互いに異なる色の化粧料が付いたチップ５が列状に並んで取り付けられている。また、蓋体６には、上記チップ５の膨らみ部に応じた配置で、複数個の凹部７が列状に設けられている。そして、このチップ５を使用する場合は、図１４（ｂ）に示すように、使用したい色のチップ５を手前側に折り返した状態で本体４と蓋体６とを閉じ合わせ、その状態で化粧するようになっている。
【先行技術文献】
【特許文献】
【０００８】
【特許文献１】特許第３５８０６９８号公報
【特許文献２】特開平１１−３１８５５３号公報
【特許文献３】特開２０１６−４３１７９号公報
【特許文献４】特開２０１１−２５４８４９号公報
【発明の概要】
【発明が解決しようとする課題】
【０００９】
しかしながら、上記化粧塗布具は、塗布具全体を手にもって化粧するため、チップ５の先端を微妙に動かすことが難しく、化粧しにくいという問題がある。また、化粧料付きのチップ５を得るには、いちいちチップ５のスポンジ部分に液状の化粧料を含浸して乾燥させ、チップ５の軸５ａに取り付ける、という煩雑な手間を要するため、製造コストが高いという問題がある。
【００１０】
このように、従来の化粧料サンプルにおいて、化粧料の実際の使用感を実感することができ、しかも複数の化粧料を組み合わせたものであっても全体形状がコンパクトかつ軽量で、使い勝手のよいものは、未だ実用化されていないのが実情である。
【００１１】
本発明は、このような事情に鑑みなされたもので、複数の化粧料等を組み合わせて保持するものであって、肌や唇に直接当てて化粧料を塗布しても化粧料がずれたり脱落したりせず、その伸び具合や感触をしっかり試すことができ、しかも軽量で嵩張らない化粧料簡易容器の提供を、その目的とする。
【課題を解決するための手段】
【００１２】
上記の目的を達成するため、本発明は、凹凸形状が付与された一枚のシート体からなり、台面部と、この台面部の片端縁に折り目Ｓを介して連結される蓋面部とを備えた化粧料簡易容器であって、上記台面部の、上記折り目Ｓと反対側の縁部に、略帯状の小片部が複数個、互いの長手方向に沿う側縁が隣り合う配置で、切り目Ｐを介して個別に切り離し自在に連結されており、上記各小片部は、平面部と、型成形によって平面部から下向きに突出した有底筒状部とを備え、上記有底筒状部の底面部には下側からみて凹状の化粧料保持部が設けられており、切り目Ｐを中心として上記各小片部を折り返して台面部の上面に重ねることにより、各小片部の化粧料保持部が上向きに配置されるようになっており、上記蓋面部は、平面部と、型成形によって平面部から下向きに突出する複数個の凹面部とを備え、折り目Ｓを中心として上記蓋面部を折り返すことにより、上記蓋面部が台面部の上面を覆い、上記蓋面部の各凹面部が、切り目Ｐを中心として折り返された各小片部の化粧料保持部に対峙するようになっている化粧料簡易容器を第１の要旨とする。
【００１３】
また、本発明は、凹凸形状が付与された一枚のシート体からなり、台面部と、この台面部の片端縁に折り目Ｓ’を介して連結される蓋面部とを備えた化粧料簡易容器であって、上記台面部は、その少なくとも一部が、互いの長手方向に沿う側縁が隣り合う配置で並ぶ複数個の、切り目Ｐ'によって個別に切り離し自在に連結された略帯状の小片部によって構成されており、上記各小片部は、平面部と、型成形によって平面部から上向きに突出した有天筒状部とを備え、上記有天筒状部の天面部には凹状の化粧料保持部が設けられており、上記蓋面部は、平面部と、型成形によって平面部から下向きに突出する複数個の凹面部とを備え、折り目Ｓ’を中心として上記蓋面部を折り返すことにより、上記蓋面部が台面部の上面を覆い、上記蓋面部の各凹面部が、上記台面部の少なくとも一部を構成する各小片部の化粧料保持部に対峙するようになっている化粧料簡易容器を第２の要旨とする。
【００１４】
さらに、本発明は、凹凸形状が付与された一枚のシート体からなり、台面部と、この台面部の片端縁に、互いの長手方向に沿う側縁が隣り合う配置で並ぶ複数個の、切り目Ｐ”を介して個別に切り離し自在に連結される略帯状の小片部とを備えた化粧料簡易容器であって、上記台面部は、平面部と、型成形によって平面部から下向きに突出する複数個の凹面部とを備え、上記各小片部は、平面部と、型成形によって平面部から上向きに突出した有天筒状部とを備え、上記有天筒状部の天面部には凹状の化粧料保持部が設けられており、切り目Ｐ”を中心として上記小片部を折り返して台面部の上面に重ねることにより、上記各小片部の化粧料保持部が、上記台面部の各凹面部に対峙するようになっている化粧料簡易容器を第３の要旨とする。
【００１５】
また、本発明は、上記第１の要旨である化粧料簡易容器のなかでも、特に、上記小片部において、上記有底筒状部が小片部の長手方向の一端部に偏って設けられており、上記小片部の平面部に、上記有底筒状部を挟むＶ字状の折り目Ｑと、このＶ字状の折り目Ｑの頂部から小片部の長手方向の他端部に向かって延びる直線状の折り目Ｒとが設けられ、これらの折り目Ｑ、Ｒを山折りすることにより、上記折り目Ｑに挟まれた部分が、平面部の折り目Ｒに対し傾斜するようになっている化粧料簡易容器を第４の要旨とする。
【００１６】
さらに、本発明は、上記第２もしくは第３の要旨である化粧料簡易容器のなかでも、特に、上記小片部において、上記有天筒状部が小片部の長手方向の一端部に偏って設けられており、上記小片部の平面部に、上記有天筒状部を挟むＶ字状の折り目Ｑと、このＶ字状の折り目Ｑの頂部から小片部の長手方向の他端部に向かって延びる直線状の折り目Ｒとが設けられ、これらの折り目Ｑ、Ｒを山折りすることにより、上記折り目Ｑに挟まれた部分が、平面部の折り目Ｒに対し傾斜するようになっている化粧料簡易容器を第５の要旨とする。
【００１７】
そして、上記第４または第５の要旨である化粧料簡易容器のなかでも、特に、上記折り目Ｒによって二つ折りされる平面部の折り返し面のそれぞれに、各折り返し面に一部がつながった状態で小係合片が切り出されており、折り目Ｒによって平面部を二つ折りした状態で、上記二つの小係合片が互いに係合して、その二つ折り状態が保持されるようになっている化粧料簡易容器を第６の要旨とする。
【発明の効果】
【００１８】
本発明の第１の要旨である化粧料簡易容器は、全体が、凹凸形状が付与された一枚のシート体によって構成されており、折り目Ｓを介して連結される台面部と蓋面部とを備え、上記台面部の片縁部に、化粧料保持部が設けられた略帯状の小片部が複数個、切り目Ｐを介して個別に切り離し自在に連結されている。また、上記蓋面部には、複数個の凹面部が設けられている。そして、切り目Ｐを中心として上記各小片部を折り返して上記台面部の上面に重ね、折り目Ｓを中心として上記蓋面部を折り返して台面部の上面を覆うことにより、折り返された各小片部の化粧料保持部と、蓋面部の各凹面部とが対峙して、化粧料保持部に保持された化粧料が個別に保護されるようになっている。
【００１９】
この構成によれば、複数個の小片部によって少量の化粧料を個別に保持することができ、しかも全体が非常に軽量で薄く、コンパクトである。したがって、複数種類の化粧料を保持した化粧料サンプルとして、店頭や街頭で配布したりダイレクトメールで送付したりするのに便利である。また、お試し用や携帯用の商品とすることもできる。そして、真空成形等によって厚みのごく薄い樹脂シートから得ることができるため、材料コスト、製造コストも低く抑えることができ、安価な値段で提供することができるという利点を有する。
【００２０】
そして、上記化粧料保持部が設けられた各小片部は、台面部から切り離し自在になっているため、これを台面部から切り離し、上記化粧料保持部の裏面側に指を添えるようにして化粧料保持部を肌に当てれば、直接化粧することができ、指を汚したり化粧チップを用いたりする必要がない。したがって、化粧の伸び具合や肌へのつけ心地を、ダイレクトに実感することができるという利点を有する。
【００２１】
さらに、上記化粧料保持部は、小片部に設けられた有底筒状部の底面部が凹状に凹んだ部分によって形成されているため、化粧料保持部の周囲が、有底筒状部の筒状部分と、この筒状部分に連なる凹状部の周壁部とで二重に囲われている。したがって、全体がシート材料で形成されているものの、この化粧料保持部の周囲の強度が高く、変形しにくくなっており、この内側に保持された化粧料が、化粧時にずれたり落下したりしにくいという利点を有している。
【００２２】
また、本発明の第２の要旨である化粧料簡易容器は、上記第１の要旨である化粧料簡易容器と同様、小片部が複数個、個別に切り離し自在に連結された状態で、台面部の一部になっているものである。このものも、上記第１の要旨である化粧料簡易容器と同様の効果を奏することができる。しかも、小片部が台面部の一部になっているため、上記第１の要旨である化粧料簡易容器に比べて、よりコンパクトで軽量である。その分、コストも低く抑えることができる。
【００２３】
そして、本発明の第３の要旨である化粧料簡易容器も、上記第１、第２の要旨である化粧料簡易容器と同様の小片部が複数個、個別に切り離し自在に台面部に連結されたものである。このものは、台面部が、上記第１、第２の要旨である化粧料簡易容器における蓋面部を兼ねているもので、各小片部を台面部に折り返すことにより、台面部に設けられた複数個の凹面部が、各小片部の化粧料保持部と対峙して、化粧料保持部に保持された化粧料を保護するようになっている。このものも、上記第１の要旨である化粧料簡易容器と同様の効果を奏することができる。しかも、蓋面部が設けられていないため、上記第２の要旨である化粧料簡易容器と同様、第１の要旨である化粧料簡易容器に比べて、よりコンパクトで軽量であり、その分、コストも抑えることができる。
【００２４】
また、本発明のなかでも、特に、上記小片部において、化粧料保持部が設けられた有底筒状部もしくは有天筒状部が、小片部の長手方向の一端部に偏って設けられており、上記小片部の平面部に、上記有底筒状部もしくは有天筒状部を挟むＶ字状の折り目Ｑと、このＶ字状の折り目Ｑの頂部から小片部の長手方向の他端部に向かって延びる直線状の折り目Ｒとが設けられ、これらの折り目Ｑ、Ｒを山折りすることにより、上記折り目Ｑに挟まれた部分が、平面部の折り目Ｒに対し傾斜するようになっている化粧料簡易容器は、全体の厚みをごく薄くすることができ、しかも使い勝手がよい。すなわち、上記小片部の平面部を、折り目Ｑ、Ｒに沿って山折りすることによって、折り目Ｒに沿う部分の強度が高くなり、使用時に、この部分をよりしっかりと手で持つことができる。しかも、上記折り目Ｑで挟まれた、有底筒状部を含む部分が、折り目Ｒに対し傾斜した配置となるため、有底筒状部の底面部もしくは有天筒状の天面部に設けられた化粧料保持部が、肌に当たりやすく化粧しやすいものとなる。
【００２５】
そして、本発明のなかでも、特に、上記折り目Ｒによって二つ折りされる平面部の折り返し面のそれぞれに、各折り返し面に一部がつながった状態で小係合片が切り出されており、折り目Ｒによって平面部を二つ折りした状態で、上記二つの小係合片が互いに係合して、その二つ折り状態が保持されるようになっているものは、より一層手で持ちやすく、化粧しやすいものとなる。
【図面の簡単な説明】
【００２６】
【図１】本発明の一実施形態である化粧料サンプルにおいて、蓋面部を開いた状態を示す斜視図である。
【図２】（ａ）は上記化粧料サンプルを平たく広げた平面図、（ｂ）はそのＡ−Ａ’断面図である。
【図３】（ａ）は上記化粧料サンプルから切り離された小片部の斜視図、（ｂ）はその使用形態の説明図、（ｃ）は上記使用形態における傾斜面の説明図である。
【図４】上記化粧料サンプルの蓋面部を閉じた状態を示す斜視図である。
【図５】本発明の他の実施形態である化粧料サンプルにおいて、蓋面部を開いた状態を示す斜視図である。
【図６】（ａ）は上記化粧料サンプルを平たく広げた平面図、（ｂ）はそのＢ−Ｂ’断面図である。
【図７】上記化粧料サンプルの台面部を部分的に拡大して示す説明図である。
【図８】上記化粧料サンプルの蓋面部を閉じた状態を示す斜視図である。
【図９】（ａ）は本発明のさらに他の実施形態である化粧料サンプルにおいて、台面部から各小片部を開いた状態を示す斜視図、（ｂ）は上記化粧料サンプルの台面部に各小片部を収容した状態で台面部を底から見た状態の斜視図である。
【図１０】（ａ）は上記化粧料サンプルを平たく広げた平面図、（ｂ）はそのＣ−Ｃ’断面図である。
【図１１】上記の化粧料サンプルの使用形態の説明図である。
【図１２】（ａ）、（ｂ）は、ともに本発明における化粧料保持部の形状の変形例を示す部分的な縦断面図である。
【図１３】（ａ）は従来の化粧料サンプルの一例を示す斜視図、（ｂ）は（ａ）のＸ−Ｘ'断面図である。
【図１４】（ａ）は従来の、化粧料を複数種類保持した化粧料塗布具の一例を示す平面図、（ｂ）はその使用形態の説明図である。
【発明を実施するための形態】
【００２７】
つぎに、本発明を実施するための形態について説明する。ただし、本発明は、以下の実施の形態に限定されるものではない。
【００２８】
図１は、本発明の一実施の形態である化粧料サンプル１１を示している。この化粧料サンプル１１は、全体が、型成形によって凹凸形状を付与した一枚のシート体（厚み０．６ｍｍのポリエチレンテレフタレート製シート）によって構成されており、略板状の台面部１２と、この台面部１２の片端縁に折り目Ｓを介して連結される、同じく略板状の蓋面部１３とを備えている。なお、上記化粧料サンプル１１を平たく広げた平面図を図２（ａ）に示し、この図２（ａ）のＡ−Ａ’断面図を図２（ｂ）に示す。
【００２９】
これらの図に示されるように、上記台面部１２の、上記折り目Ｓと反対側の縁部には、折り目Ｍを介して延設されるガイド片１４が複数個（この例では３個）、台面部１２の縁部に沿って並んで設けられており、各ガイド片１４の先端に、略帯状の小片部１５が、互いの長手方向に沿う側縁が隣り合う配置で、切り目Ｐを介して個別に切り離し自在に連結されている。
【００３０】
上記各小片部１５は、平面部１６と、型成形によって平面部１６から下向き（図２に示すように、小片部１５を台面部１２から延ばした状態において下向き）に突出した有底筒状部１７とを備えている。そして、上記有底筒状部１７の底面部１７ａが、下側からみて凹状に湾曲して、化粧料１８（この例では油性の口紅化粧料、図２、図３では、その図示を省略）を保持する化粧料保持部１９が形成されている。
【００３１】
また、上記各小片部１５の平面部１６は、図３（ａ）に示すように、その先端部の平面視形状が、有底筒状部１７の筒壁部の輪郭に沿って円弧状になっている。そして、上記平面部１６には、上記有底筒状部１７を挟むＶ字状の折り目Ｑと、この折り目Ｑの頂部から折り目Ｐに向かって長手方向に延びる直線状の折り目Ｒとが設けられており、小片部１５を台面部１２から切り離した状態で、折り目Ｑ、Ｒを山折りすることにより、図３（ｂ）に示すように、平面部１６が二つ折りされ、有底筒状部１７が、折り目Ｒに対して後方に傾斜するようになっている。
【００３２】
なお、上記折り目Ｒによって二つ折りされる平面部１６の折り返し面のそれぞれに、各折り返し面に一部がつながった状態で小係合片２２、２３が切り出されており、折り目Ｒによって平面部１６を二つ折りした状態で、上記二つの小係合片２２、２３が互いに係合して、その二つ折り状態が保持されるようになっている。
【００３３】
上記各小片部１５は、台面部１２とつながるガイド片１４の両側の、折り目Ｍを谷折りすることによって、図１に示すように、台面部１２の上面に重なった状態で収容されるようになっている。そして、その状態では、各小片部１５の化粧料保持部１９が上を向き、化粧料１８が上向きに保持された配置となる。
【００３４】
上記各小片部１５を収容する台面部１２は、型成形によって、周縁部を残し、部分１２ａから一段高い膨出部２０が、収容される小片部１５を囲うような輪郭形状で設けられている。この膨出部２０は、台面部１２に収容された小片部１５をガイドし、かつ台面部１２が型崩れしないよう強度を与えるために設けられている。
【００３５】
また、上記台面部１２に、折り目Ｓを介して連結される蓋面部１３は、周縁の平面部１３ａを残し、それ以外の部分１３ｂが下向き（図２に示すように蓋面部１３を平たく開いた状態において下向き）に突出して凹んでいる。そして、折り目Ｓを谷折りして蓋面部１３を台面部１２側に重ねると、上記蓋面部１３の凹んだ部分１３ｂが、上記台面部１２の膨出部２０と嵌合して、台面部１２の上面が蓋されるようになっている。
【００３６】
上記蓋面部１３の、凹んだ部分１３ｂの底面には、さらに下向きに突出する凹面部２１が複数個並んで設けられている。これらの凹面部２１は、上記蓋面部１３を台面部１２に嵌合させた状態において、台面部１２に収容された小片部１５の各化粧料保持部１９の開口に対峙する配置で並んでおり、蓋面部１３を台面部１２に重ねて蓋することにより、上記小片部１５の化粧料保持部１９を、上記蓋面部１３側の凹面部２１によって、ぞれぞれ覆うようになっている。これにより、各化粧料保持部１９に保持された化粧料１８が、化粧料保持部１９の開口から多少盛り上がって充填されていても、蓋面部１３側が化粧料１８で汚れることがない。しかも、上記凹面部２１の開口縁部が、化粧料保持部１９の開口縁部に当接するため、各化粧料保持部１９を、個別に押さえて保護するようになっている。
【００３７】
なお、上記蓋面部１３の平面部１３ａのうち、使用時に手前側になる部分の一部が、水平方向に、平面視円弧状に突出しており、蓋面部１３を開く際、この部分１３ｃに手をかけることができるようになっている。
【００３８】
この化粧料サンプル１１の、蓋面部１３を閉じた状態を図４に示す。この状態では、蓋面部１３の表面に、各凹面部２１が上向きに突出しており、その突出した各凹面部２１を透かして、化粧料保持部１９に保持された各化粧料１８が見えるようになっている。したがって、外側から上記凹面部２１を見れば、どのような色味の化粧料１８が収容されているかが一目でわかるようになっている。
【００３９】
なお、上記蓋面部１３の内側面に、上記凹面部２１に相当する部分を除いて、アイキャッチ効果を高めるためのデザインやキャッチフレーズ等を付した印刷を付与したり、印刷シートを貼付したりすることができる。また、上記台面部１２の裏面に、化粧料１８に関する説明や化粧方法等についての情報を、直接印刷したりシートを貼付したりすることによって、表示することができる。
【００４０】
上記化粧料サンプル１１を用い、例えばつぎのようにして化粧することができる。すなわち、まず、図１に示すように蓋面部１３を開き、使用したい化粧料１８が保持された小片部１５を、台面部１２から延びるガイド片１４から切り離す。そして、図３（ｂ）に示すように、平面部１６の折り目Ｒ、Ｑを山折りするとともに、小係合片２２、２３を折り立てて互いに係合させ、二つ折り状態を固定する。そして、この平面部１６の二つ折りされた部分を把持し、有底筒状部１７の裏側に指先を添えて、傾斜した化粧料保持部１９の化粧料１８を唇に押し当てて横にずらすことにより、この化粧料１８を試すことができる。
【００４１】
このとき、化粧料保持部１９の化粧料１８が充填された面は、図３（ｂ）に示すように、後方に傾斜しており、その傾斜角度が、通常のスティック状の口紅化粧料に付与されている先端傾斜面の傾斜角度に倣った角度になっているため、通常の口紅化粧料によって化粧する場合と同じ感覚で化粧することができる。したがって、このものは、サンプルであるにもかかわらず、あたかも実際の商品を用いて化粧するかのような使用感を得ることができ、化粧料１８の唇への付着感や伸び具合を実感することができる。
【００４２】
しかも、この化粧料サンプル１１は、小片部１５に設けられた有底筒状部１７の底面部１７ａを凹ませて、その凹状部を化粧料保持部１９としている［図２（ｂ）を参照］ため、化粧料保持部１９の周囲が、有底筒状部１７の筒状部分と、この筒状部分に連なる凹状部の周壁部とで二重に囲われた構造になっている。したがって、全体がシート材料で形成されているものの、この化粧料保持部１９の周囲の強度が高く、変形しにくくなっており、この内側に保持された化粧料１８が、化粧時にずれたり落下したりしにくい、という利点を有している。
【００４３】
なお、上記化粧料サンプル１１は、色見本となる化粧料１８を複数組み合わせたテスターとして店頭で陳列して、来店する顧客に試供させるのに用いることができる他、店頭や街頭で配布したり、ダイレクトメールで送付したりすることができる。また、上記化粧料サンプル１１をお試しセットとしたり、トラベルセットや常用の携帯キットとしたりして、商品として販売することもできる。
【００４４】
上記の例において、化粧料サンプル１１の略帯状シート体に用いられるシート材としては、型成形によって賦形できる樹脂材料からなるものが用いられ、ポリエチレンテレフタレート（ＰＥＴ）の他、例えばポリプロピレン（ＰＰ）、ポリエチレン（ＰＥ）、ポリスチレン（ＰＳ）等の熱可塑性樹脂があげられる。なかでも、再生ＰＥＴを用いることが、コストおよび省資源の点で好適である。
【００４５】
そして、上記シート材の厚みも、上記の例に限らず、用いる材料および目的とする化粧料サンプル１１の大きさや形状等によって適宜に設定されるが、通常、０．１〜０．８ｍｍの範囲に設定することが好適である。すなわち、厚みが薄すぎると型成形が容易でなく、保形性の点でも好ましくない。逆に、厚みが厚すぎると、比較的重たいものとなり、コスト的にも好ましくない。
【００４６】
また、上記シート材に凹凸形状を付与するための成形方法としては、真空成形の他、圧空成形やプレス成形等、樹脂製シート材を型成形によって凹凸形状を賦形する各種の成形方法を用いることができる。
【００４７】
さらに、上記の例では、小片部１５の平面部１６に設けられた折り目Ｑ、Ｒを山折りすることによって、化粧料保持部１９が設けられた有底筒状部１７を後方に傾斜させたが、小片部１５がある程度撓んで反る場合、必ずしも上記のように傾斜をつけるための折り目Ｑ、Ｒを設けなくてもよい。ただし、小片部１５を、より安定した形で傾斜保持させるには、上記のように折り目Ｑ、Ｒを設けることが好ましい。このときの有底筒状部１７の、折り目Ｒに対する傾斜角度θ［図３（ｃ）参照］は、１０〜６０°程度であることが、唇への塗布作業がしやすく、好適である。
【００４８】
また、上記の例では、化粧料１８を保持する小片部１５を、台面部１２の片縁部に、折り目Ｍを介してガイド片１４を延設し、このガイド片１４に、切り目Ｐを介して、個別に切り離し自在に小片部１５を連結したが、上記ガイド片１４を設けたのは、台面部１２の上面が、周縁部を残して高く突出していることを考慮したものである［図２（ｂ）の膨出部２０を参照］。しかし、上記のようなガイド片１４は必ずしも必要ではなく、小片部１５と台面部１２とを、直接切り目Ｐで連結するようにしても差し支えない。
【００４９】
そして、上記の例では、複数の小片部１５を、台面部１２の片縁部に、個別に切り離し自在に連結し、これらの小片部１５を、台面部１２の上面に折り重ねて収容するようにしたが、例えば、図５に示す化粧料サンプル３０のように、個別に切り離し自在な複数の小片部３５が、台面部３２の一部を構成するものであってもよい。この化粧料サンプル３０を平たく広げた平面図を図６（ａ）に示し、図６（ａ）のＢ−Ｂ’断面図を図６（ｂ）に示す。
【００５０】
すなわち、この化粧料サンプル３０は、台面部３２と、この台面部３２の片端縁に折り目Ｓ'を介して連結される蓋面部３３とを備えており、上記台面部３２の平面部３２ａにおいて、その内側部分が、互いの長手方向に沿う側縁が隣り合う配置で並ぶ複数個（この例では３個）の、切り目Ｐ'によって個別に切り離し自在に連結された略帯状の小片部３５によって構成されている。そして、小片部３５が形成された部分の周囲には、図１に示す例と同様、補強のための膨出部３６が上向きに突出形成されている。
【００５１】
上記各小片部３５は、互いに切り目Ｐ'で連結されている以外は、基本的に、図１に示す小片部１５と同一の構成であり、同一部分に同一符号を付してその説明を省略する。ただし、図１に示す小片部１５は、台面部１２から手前に延ばした状態から、折り目Ｍを介して折り返されて台面部１２の上面に重ねて収容されるため、台面部１２から手前に延ばした状態において、平面部１６に対し、化粧料保持部１９となる部分は、下向きに突出する有底筒状体１７であり、その底面部１７ａは、下側からみて上向きに凹む湾曲面に形成されている。
【００５２】
これに対し、図５に示す小片部３５は、化粧料保持部１９が上向きになった状態で台面部３２の一部として構成されている。したがって、上記化粧料保持部１９は、小片部３５の平面部１６から上向きに突出形成された有天筒状体１７’の、下向きに凹んだ天面部１７ａ’によって形成されている。
【００５３】
そして、各小片部３５の、化粧料保持部１９の輪郭に沿う平面視円弧状の輪郭部分と、台面部３２の平面部３２ａとの間には、円弧状に切り目４０が入れられており、互いに隣り合う小片部３５と小片部３５の間の、直線状のミシン目からなる切り目Ｐ'を切り離すだけで、図７に示すように、簡単に、小片部３５を台面部３２から切り離すことができるようになっている。
【００５４】
上記台面部３２から切り離された小片部３５は、その平面部１６に設けられた折り目Ｑ、Ｒを山折りするとともに、小係合片２２、２３を係合させることにより、図１に示す化粧料サンプル１１の小片部１５と同様、化粧料保持部１９を、折り目Ｒに対して後方に傾斜させることができるようになっている。
【００５５】
また、上記台面部３２に、折り目Ｓ’を介して連結される蓋面部３３は、周縁の平面部３３ａを残し、それ以外の部分３３ｂが下向き（図６に示すように蓋面部３３を平たく開いた状態において下向き）に突出して凹んでおり、その凹んだ部分３３ｂからさらに下向きに突出する３個の凹面部４１が設けられている。上記凹面部４１は、図１に示す化粧料サンプル１１の凹面部２１に相当するものであり、その説明を省略する。そして、上記蓋面部３３を、折り目Ｓ’を谷折りすることにより台面部３２側に重ねると、上記蓋面部３３の凹んだ部分３３ｂが、上記台面部３２の膨出部３６と嵌合して、台面部３２の上面を蓋するようになっている。
【００５６】
なお、上記蓋面部３３の周縁の平面部３３ａのうち、使用時に手前側に配置される部分の一部３３ｃが、水平方向に平面視円弧状に突出しており、蓋面部３３を開く際、この部分３３ｃに手をかけることができるようになっている。
【００５７】
上記化粧料サンプル３０において、蓋面部３３を閉じて台面部３２側に重ねた状態を図８に示す。このものも、閉じた蓋面部３３の表面に、凹面部４１が並んで突出し、各凹面部４１から内側の化粧料１８を見ることができる。
【００５８】
この化粧料サンプル３０も、図１に示す化粧料サンプル１１と同様の効果を奏することができる。しかも、台面部３２の一部として、個別に切り離し自在な小片部３５が設けられているため、全体の重量を、上記化粧料サンプル１１よりもさらに軽くすることができ、また、全体の構成が簡単であることから、コストをより低く抑えることができる。そして、全体厚みも、より薄くすることができるため、このものは、無料配布用として、また携帯用やトラベル用として、非常に使いやすいものとなる。
【００５９】
また、本発明のさらに他の例として、例えば、図９（ａ）に示すような化粧料サンプル５０をあげることができる。この化粧料サンプル５０は、台面部５２と、この台面部５２の片端縁に、切り目Ｐ”を介して個別に切り離し自在に連結される複数個（この例では３個）の、略帯状の小片部５５とを備えている。なお、上記台面部５２に小片部５５を収容して裏返した状態を図９（ｂ）に示す。また、この化粧料サンプル５０を平たく広げた平面図を図１０（ａ）に示し、図１０（ａ）のＣ−Ｃ’断面図を図１０（ｂ）に示す。
【００６０】
上記各小片部５５は、フランジ形状の平面部５６と、平面部５６から上向きに突出する有天筒状部５７とを備え、上記有天筒状部５７の天面部５７ａに、凹状の化粧料保持部１９が設けられている。そして、図１に示す化粧料サンプル１１と同様、上記化粧料保持部１９内に化粧料１８が充填保持されるようになっている。
【００６１】
一方、上記化粧料サンプル５０の台面部５２は、平面部６０と、型成形によって平面部６０から下向きに突出する、小片部５５を収容するための凹部６１とを備えている。すなわち、上記小片部５５を、切り目Ｐ”を中心として台面部５２側に折り返して台面部５２の上面に重ねることにより、図１１の、向かって左側に示すように、台面部５２の凹部６１内に、小片部５５を個別に嵌入保持できるようになっている。
【００６２】
そして、上記凹部６１の底面６１ａには、上記小片部５５を凹部６１内に嵌入保持した状態で各小片部５５の化粧料保持部１９に対峙する配置で、上記底面６１ａからさらに下向きに突出する、３個の凹面部６２が設けられている。これらの凹面部６２は、上記図１の化粧料サンプル１１や図５の化粧料サンプル３０において蓋面部１３、３３側に設けられている凹面部２１、４１に相当するものであり、その説明を省略する。
【００６３】
また、上記台面部５２の平面部６０のうち、切り目Ｐ”が設けられた側と反対側の縁部の、凹部６１内に収容される各小片部５５の先端部に対応する位置に、平面視が浅い円弧状の切欠き部６３が設けられている。台面部５２の凹部６１内に小片部５５を収容した状態において、上記切欠き部６３から小片部５５の先端部か突出するため、この部分に手をかけると、凹部６１内から小片部５５を引き出しやすくなっている［図９（ｂ）を参照］。
【００６４】
この化粧料サンプル５０も、図１に示す化粧料サンプル１１や図５に示す化粧料サンプル３０と同様の効果を奏することができる。特に、このものは、台面部５２に小片部５５を折り重ねただけの簡単な構造であり、蓋面部は設けられていないため、全体の重量を、さらに軽くすることができ、コストをより低く抑えることができる。そして、全体厚みも、より薄くすることができるため、このものは、無料配布用として、また携帯用やトラベル用として、非常に使いやすいものとなる。
【００６５】
また、この化粧料サンプル５０の小片部５５は、フランジ状の平面部５６を残して、その大部分が有天筒状部５７として突出形成されているため、全体の保形性に優れており、前記化粧料サンプル１１の小片部１５のように、折り目Ｑ、Ｒを設けて傾斜角度を付けなくても、小片部１５をしっかり把持することができる。したがって、化粧料保持部１９の裏面側に指を添えて化粧料１８を唇に押し当てることにより、スムーズに化粧することができる。
【００６６】
なお、上記化粧料サンプル５０のように、蓋面部を設けない構成のものにおいて、上記小片部５５に変えて、前記化粧料サンプル１１や化粧料サンプル３０に示すような、折り目Ｑ、Ｒを有する小片部１５、３５を用いても差し支えない。その場合、台面部５２側の凹部６１は、上記小片部１５、３５を嵌入保持しやすく引き出しやすい形状に設計変更することができる。
【００６７】
そして、上記一連の化粧料サンプル１１等において、化粧料保持部１９の形状は、小片部１５等に設けられる有底筒状部の底面部、あるいは有天筒状部の天面部を凹状に湾曲させて形成したものであれば、特に限定するものではない。
【００６８】
例えば、図１２（ａ）に示すように、小片部７０の平面部７１から上向きに突出形成された有天筒状部７２において、その天面部７２ａを、先端側に向かって下り傾斜面にして化粧料保持部１９とすることができる。この構造によれば、化粧料１８（図示せず）を、化粧料保持部１９内の最もよく使う先端部に多く充填することができるため、化粧料１８が残り少なくなっても使いやすいという利点を有する。
【００６９】
また、図１２（ｂ）に示すように、上記と同様の有天筒状部７２において、その天面部７２ａを凹状に湾曲させ、さらにその湾曲面の中央部を上向きに突出させて、天面部７２ａの周縁部のみを環状に深くすることができる。この構成によれば、化粧料保持部１９に保持される化粧料１８（図示せず）の量が少なくても唇につけやすいという利点を有する。
【００７０】
また、上記一連の例は、化粧料１８として油性の口紅化粧料を用いたが、これに限らず、アイカラー、チークカラー、フェイスシャドウ、コンシーラー等、各種の油性化粧料を用いることができる。
【実施例】
【００７１】
つぎに、本発明の実施例について説明する。
【００７２】
［実施例１］
まず、油性化粧料として、下記の組成の口紅化粧料を準備した。そして、このものを、図１に示す化粧料サンプル１１の３個の化粧料保持部１９内に、それぞれ０．１ｇずつ充填保持させることにより、目的とする化粧料サンプル１１を得た。
〈口紅化粧料の組成〉
パラフィンワックス                          ５．０重量部
セレシン                                    ５．０  〃
マイクロクリスタリンワックス                ３．０  〃
ワセリン                                  １０．０  〃
水添ポリイソブテン                        ２０．０  〃
リンゴ酸ジイソステアリル                  １０．０  〃
トリ（カプリル酸／カプリン酸）グリセリル      残量
赤２０１                                    ０．２  〃
赤２０２                                    １．０  〃
酸化鉄                                      ０．５  〃
酸化チタン                                  １．０  〃
パール                                      ３．０  〃
【００７３】
このものについて、下記の各評価項目について下記の手順にしたがって評価を行ったところ、いずれの評価項目についても「〇」であり、優れた性能を示すことがわかった。
【００７４】
〈充填性〉
化粧料サンプル１１を１０個準備し、それぞれの化粧料保持部１９（合計３０個）における口紅化粧料の充填状態について観察した。そして、３０個のうち、口紅化粧料が化粧料保持部１９の側面側に垂れていたり、周縁部まで充分に充填されていなかったりする充填不良品の個数を数えて、下記のとおり評価した。
○…０個  △…１〜９個  ×…１０個以上
【００７５】
〈感触〉
専門モニター１５名に、化粧料サンプル１１を試供させ、唇に塗布したときの感触を、その使い始めと使い終わりの２つの時期に分けて評価させた。評価基準は下記のとおりとし、最も多い人数の評価を、その評価とした。
○…全く違和感がない  ○’…殆ど違和感がなく問題ない  △…やや違和感があり気になる  ×…大きな違和感があり使用しにくい
【００７６】
〈使用中のずれ〉
専門モニター１５名に、各化粧料サンプル１１の化粧料保持部１９を２個ずつ試供させ、計３０個のうち、使用中に口紅化粧料がずれたり脱落したりしたものの個数を数えて合計して、下記のとおり評価した。
○…０個  △…１〜９個  ×…１０個以上
【００７７】
また、図５、図９に示す各化粧料サンプル３０、５０についても、上記実施例１と同様にして評価を行ったところ、いずれの評価項目についても、「〇」もしくは「〇'」の評価であり、使い勝手のよいものであった。
【産業上の利用可能性】
【００７８】
本発明は、肌や唇に直接化粧料を塗ることのできる、複数の化粧料を保持した化粧料サンプル等の化粧料簡易容器として利用することができる。
【符号の説明】
【００７９】
１１  化粧料サンプル
１２  台面部
１３  蓋面部
１５  小片部
１９  化粧料保持部
２１  凹面部
Ｐ  切り目
Ｓ  折り目
【図１】
2018164507.tif 000003
【図２】
2018164507.tif 000004
【図３】
2018164507.tif 000005
【図４】
2018164507.tif 000006
【図５】
2018164507.tif 000007
【図６】
2018164507.tif 000008
【図７】
2018164507.tif 000009
【図８】
2018164507.tif 000010
【図９】
2018164507.tif 000011
【図１０】
2018164507.tif 000012
【図１１】
2018164507.tif 000013
【図１２】
2018164507.tif 000014
【図１３】
2018164507.tif 000015
【図１４】
2018164507.tif 000016